(57)【要約】      （修正有）【課題】学童が長期間背負っても疲れ難いようにし、且つ、経年変化によるガタツキを防止して長期間使用することができるランドセルを提供する。【解決手段】ランドセルの背板の中央上部に取付ける背環本体の中央に吊下環を取付け、左右対称位置で下方をばねで互いに中央方向に付勢させて左右方向に枢動可能に揺動アーム２０を軸支し、該揺動アーム２０の上端に設けた連結頭部２３に背負いベルト４０の一端を取付ける可動連結片２６を前後方向に回動可能に連結し、前記背環本体の上面に蓋体を取付けてある。したがって、背環に取付けた揺動アーム２０の可動連結片２６が背負いベルト４０の動作に合わせて無理なくスムースに回動することにより背負いベルト４０が学童の肩形状に合わせて湾曲することができると共に、ランドセルの上部が背中からやや離れるため背環が首筋に当たることもなく安全で、肩と腰とで安定してランドセルを背負うことができる。【選択図】図４
0003148308.tif 000002
【実用新案登録請求の範囲】
【請求項１】
ランドセル（１）の背板（２）の中央上部に取付けた背環本体（１１）の中央上部には吊下環（６）を取付け、左右対称位置にはばね（８）で互いに中央方向に付勢させて左右方向に枢動可能に揺動アーム（２０）を軸支し、該揺動アーム（２０）の連結基部（２１）に背負いベルト（４０）の一端を取付ける可動連結片（２６）を前後方向に回動可能に連結して上面に蓋体（３５）を取り付けてなることを特徴とするランドセル用背環。
【請求項２】
前記揺動アーム（２０）の連結基部（２１）は、下端に前記背環本体（１１）の支持部に取付ける孔（２２）を設け、該連結基部（２１）の上端を幅広に形成して断面円柱状に形成すると共に、上端部に一定間隔毎に複数の凹溝部（２５）を設けた連結頭部（２３）に中心軸心方向に軸孔（２４）を設けてなることを特徴とする請求項１記載のランドセル用背環。
【請求項３】
前記揺動アーム（２０）の可動連結片（２６）は、下端に前記連結頭部（２３）と同形の断面円柱状に形成して一定間隔毎に複数の凹部（２８）を介して設けた連結受部（２７）の中心軸方向に軸孔(２９)を設け、該可動連結片（２６）の両側と上部側を開口させて背負いベルト（４０）の一端を挿入させる連結溝部（３０）を形成し、該連結溝部に少なくとも１以上の連結孔（３１）を設けてなることを特徴とする請求項１記載のランドセル用背環。
【請求項４】
前記揺動アーム（２０）を構成する連結基部（２１）の上端に設けた連結頭部（２３）に一定間隔ごとに形成した複数の凹溝部（２５）と、前記可動連結片（２６）の下部に複数の凹部（２８）を介して設けた連結受部（２７）とを嵌合させ、前記連結頭部（２３）と連結受部（２７）の軸孔（２４）（２９）に連結軸（３３）を挿通して前記可動連結片（２６）を該連結基部（２１）の上部に回動可能に軸支してなることを特徴とする請求項１ないし３のいずれか１記載のランドセル用背環。
【請求項５】
ランドセル（１）の背板（２）上部中央に取付けた背環本体（１１）の中央に吊下環（６）を取付け、左右対称位置には下方をばね（８）で互いに中央方向に付勢させた揺動アーム（２０）の上端を前記背環（１０）の上端から突出させて左右方向に揺動可能に軸支し、上端を外側に傾斜させて断面円柱状に形成して軸心方向と直角方向に複数の凹溝部（２５）を一定間隔毎に有した連結頭部（２３）を設けた連結基部(２１)を形成し、下端に前記連結受部（２３）の形状と同じ断面円柱状に形成した連結受部（２７）の中心軸心方向と直角方向に一定間隔ごとに複数の凹部（２８）を設け、この連結頭部（２３）の凹溝部（２５）と一端に凹部（２８）を有した断面円柱状に形成した連結受部（２７）とを嵌合させ、
該連結受部（２７）の中心と前記連結頭部（２３）の中心とを通る同一軸心上に形成した軸孔（２４）（２９）に連結軸（３３）を挿入して回動可能に軸支すると共に、該可動連結片（２６）の幅方向の両側と上部側を開口して背負いベルト（４０）の一端を装着する連結溝部（３０）を設けてなることを特徴とするランドセル用背環。
【考案の詳細な説明】
【技術分野】
【０００１】
本考案は、ランドセル背板の上部中央に位置して取り付けた背負ベルトの一端をそれぞれ連結する背環の改良に関する。
【背景技術】
【０００２】
従来、ランドセルを構成する背板の上端中央に取付けられている背環の多くは、ランドセルの背板に固定する背環の中央上端に、ランドセルを吊下げる吊下げ環を取付け、左右対称位置の下方をばねで互いに中央方向に付勢させて左右方向に枢動可能な揺動アームを軸支し、該揺動アームの上端を前記背環の上端から突出させた連結部に背負いベルトの一端を接続する連結部を一体または別体に取付けて形成してある。
【０００３】
図９に示すごとく、背環５５の揺動アーム５６の上端に設けた連結部５７には、金属線を三角形や四角形などに折り曲げて形成した連結環５８が取付け、この連結環５８の水平軸５８ａを前期連結部５７に前後方向に回動可能に取付けて形成したものが知られている（例えば、特許文献１参照）。
【特許文献１】特開平８−５６７２９号
【０００４】
前記背環５５の揺動アーム５６を構成する連結環５８に背負いベルト７０の一端を取付ける場合、図１１に示すごとく、背負いベルト７０の表地の先端を、やや細幅に形成して折り返し可能な背環連結部Ｘを設け、該背環連結部Ｘを連結環５８に挿通して折り返して裏側に重ね合わせた部分をリベットなどで固定して連結している。
【０００５】
したがって、揺動アーム５６に取付けてある連結環５８に背環連結部Ｘを折り返して連結した背負いベルト７０は、経年変化などによって腰がなくなると折り返し部分が緩くなって隙間ができてしまい、ランドセルを背負って歩行するとランドセルが揺動して背負い難くなる。さらには、前記背負いベルト７０の背環連結部Ｘが経年変化によって擦れて生地が薄くなったりして切れる虞があり、長期間使用することが困難であった。
【０００６】
また、昨今の背負いべルトには、図１１に示すごとく、ベルトの肩当部分の両側にクッション部７１を張り出して設けたものがあるが、この背負いベルト７０の先端にも背環連結部Ｘが設けられている。そのため、背環５５の揺動アーム５６に設けた連結環５８に背負いベルト７０を環回させて連結すると、背環連結部Ｘの距離と連結環Ｙの距離ができ、クッション部７１が肩の主要部分に当てることが困難になってしまうなどという問題点を有していた。
【０００７】
さらには、図１０に示すごとく、背環６０の揺動アーム６１の先端に設けた連結部６２に回動可能に取付けた連結環６３の前後方向への回動を、一定角度以上背負い側に傾倒しないように形成してある。また、背負いベルト７０の肩当部７１に補強芯板（図示せず）を挿入してランドセルを背負った場合に、背負いベルト７０に挿入された補強芯板の弾発力によって背負ベルトが無理なく学童の肩に沿って湾曲して背負うことができると共に、連結環が一定角度以上回転しないように制限することにより、ランドセルが背中から離れるのを防止したものが知られている（例えば、特許文献３、４参照）。
【特許文献３】特開２００４−２３７０７２号
【特許文献４】特開２００４−２６７６８７号
【０００８】
前記背環６０を有したランドセルの背負いベルト７０は、背負う学童の体型に関係なく強制的に一定角度に湾曲するため、肩と背負いベルトとの間に不自然な隙間ができて背負い難くかった。また、揺動アーム６１の連結環６３の回転動を一定角度以上背負い側(学童側)に傾倒しないように強制的に制限してランドセルを上方に引き上げ、背中とランドセルとを密着させるため、肩甲骨が背板に当たり肩の動きが制限されて窮屈となり、また、背負いベルトとランドセルの背環の連結環６３との連結位置が高くなりランドセルが左右に揺れて安定しないという問題点を有していた。
【０００９】
さらに、ランドセルが上方に引き上げられるため背環が首の下に触れて髪の毛が絡まりやすい。また、揺動アーム６１の連結環６３は略直立した状態で肩ベルトと連結しているため、背負ベルト７０によって強く後方に引かれると係止部分が壊れやすいなど多くの問題点があった。
【考案の開示】
【考案が解決しようとする課題】
【００１０】
本考案が解決しようとする課題は、人間の身体で最も強くて丈夫なのが肩と腰であることから、体力の弱い学童が重いランドセルを背負う場合、肩と腰部分で背負うのが基本である。したがって、ランドセルを肩と腰でしっかり背負うことができるように背負いベルトとの連結部分である背環を改良することにより、学童が長期間背負っても疲れ難いようにし、且つ、経年変化によるガタツキを防止して長期間使用することができるようにすることを目的とするものである。
【課題を解決するための手段】
【００１１】
上記課題を達成するために本考案は、ランドセル１の背板２の中央上部に取付けた背環本体１１の中央上部には吊下環６を取付け、左右対称位置にはばね８で互いに中央方向に付勢させて左右方向に枢動可能に揺動アーム２０を軸支し、該揺動アーム２０の連結基部２１に背負いベルト４０の一端を取付ける可動連結片２６を前後方向に回動可能に連結し、前記背環本体１１の上面に蓋体３５を取り付けてなることを特徴とする。また、前記揺動アーム２０の連結基部２１は、下端に前記背環本体１１の支持部に取付ける孔２２を設け、該連結基部２１の上端を幅広に形成して断面円柱状に形成すると共に、上端部に一定間隔毎に複数の凹溝部２５を設けた連結頭部２３に中心軸心方向に軸孔２４を設けてなることを特徴とする。さらに、前記揺動アーム２０の可動連結片２６は、下端に前記連結頭部２３と同形の断面円柱状に形成して一定間隔毎に複数の凹部を介して設けた連結受部２７の中心軸方向に軸孔２９を設け、該可動連結片２６の両側と上部側を開口させて背負いベルト４０の一端を挿入させる連結溝部３０を形成し、該連結溝部に少なくとも１以上の連結孔３１を設けてなることを特徴とする。さらにまた、前記揺動アーム２０を構成する連結基部２１の上端に設けた連結頭部２３に一定間隔ごとに形成した複数の凹溝部２５と、前記可動連結片２６の下部に複数の凹部２８を介して設けた連結受部２７とを嵌合させ、前記連結頭部２３と連結受部２７の軸孔２４、２９に連結軸３３を挿通して前記可動連結片２６を該連結基部２１の上部に回動可能に軸支してなることを特徴とする。
【００１２】
したがって、背環１０に取付けた揺動アーム２０の可動連結片２６が背負いベルト４０の動作に合わせて無理なくスムースに回動することにより背負いベルト４０が学童の肩形状に合わせて湾曲することができると共に、ランドセルの上部が背中からやや離れるため背環１０が首筋に当たることもなく安全で、肩と腰とで安定してランドセルを背負うことができる。また、背負ベルトの先端に皮革材からなる背負い連結部を形成する必要がないので長さが短く経済的である。
【００１３】
また、本考案は、ランドセル１の背板２上部中央に取付けた背環本体１１の中央に吊下環６を取付け、左右対称位置には下方をばね８で互いに中央方向に付勢させた揺動アーム２０の上端を前記背環１０の上端から突出させて左右方向に揺動可能に軸支し、上端を外側に傾斜させて断面円柱状に形成して軸心方向と直角方向に複数の凹溝部２５を一定間隔に有した連結頭部２３を設けた連結基部２１を形成し、下端に前記連結受部２３の形状と同じ断面円柱状に形成した連結受部２７の中心軸心方向と直角方向に一定間隔ごとに複数の凹部２８を設け、この連結頭部２３の凹溝部２５と、一端に凹部２８を有した断面円柱状に形成した連結受部２７とを嵌合させ、該連結受部２７の中心と前記連結頭部２３の中心とを通る同一軸心上に形成した軸孔２４、２９に連結軸３３を挿入して回動可能に軸支すると共に、該可動連結片の幅方向の両側と上部側を開放して背負いベルト４０の一端を装着する連結溝部３０を設けてなることを特徴とする。
【００１４】
したがって、背環１０に取付けた揺動アーム２０の連結受部２３と可動連結片２６とを凹凸状に連結することにより、幅方向へのガタツキを防止することができると共に、背負いベルト４０の作動に合わせてスムースに回動させることができるので、学童の肩の形状に合わせて背負いベルトが湾曲し、ランドセルの上部が背中からやや離れるため背環１０が首筋に当たることもなく安全で、背板の下部が腰部分に位置するため安定して背負うことができる。
【考案を実施するための最良の形態】
【００１５】
本考案の実施の形態を図面に基づいて説明すると、図１は本考案にかかる背環をランドセルの背板に取付けた使用状態の正面図、図２は背負いベルトを取付けた背環の正面図、図３は蓋板を外した背環の正面図、図４は揺動アームの分解斜視図、図５は背負ベルトの平面図、図６は図５のＡ―Ａ線拡大断面図である。背環１０は、ランドセル背板の上部中央に取付けてあり、合成樹脂材により形成した背環本体１１と、ランドセルを吊下げる吊下げ環６と、背環本体１１内の左右対称位置に揺動可能に収容した一対の揺動アーム２０と、該揺動アーム２０を中央方向に付勢させるばね８と、前記背環本体１１を被う合成樹脂材により形成した蓋体３５とにより構成されている。
【００１６】
前記吊下環６は、図２、３に示す如く、鉄線の上部中央を扇状に折り曲げ、下方を狭幅で並行に形成し、下端をそれぞれ略直角方向に向かい合わせに折り曲げて形成した係止部７を前記背環本体１１の上部中央に設けた保持部１２の中央に設けた吊下溝部１３内に挿入した係止板１４の上端に枢動可能に取付けてある。
【００１７】
前記背環本体１１の両側部分には、図３に示すごとく、表面の左右対称位置に前記揺動アーム２０を軸支する一対の支持軸１５と、該背環本体と蓋体３５を前記背板２に取付けるためのねじ孔１６とを設け、さらに、前記保持部１２の左右対称位置には、前記背環の中央部方向に係止する係止壁１７と、前記ねじ孔１６の内側位置には外方に揺動した揺動アームを係止させる係止部１８と、左右動可能な揺動アーム２０を中央方向に付勢するばね８の外側端を係止するばね止部１９をそれぞれ設けてある。
【００１８】
前記揺動アーム２０は、図３、４に示すごとく、上方をやや幅広の扇状に形成した連結基部２１の下方に、前記背環本体１１の支持軸１５に枢動可能に軸支する孔２２を設け、前記連結基部２１の上部に設けた凹凸状の連結受部２３に、背負ベルト４０の一端を固着させる可動連結片２６の下部を前後方向に回動動可能に連結してある。
【００１９】
前記背環本体１１の支持軸１５に巻装したばね８の内側端は、一方を揺動アーム２０の連結基部２１の内側部分を係止し、他方を該連結基部の外側部であって前記背環本体１１のばね止部１９に係止させて揺動アーム２０をそれぞれ中央寄りに付勢させてせかん本体１１の中央部分に設けた係止壁１７で係止し、外方向を背環本体１１の左右両側に設けた係止部１８で係止し、前記係止壁１７と係止部１８との範囲内で揺動可能に軸支させてある。
【００２０】
前記連結基部２１の上端に凹凸状に設けた複数の連結受部２３は、断面円柱状で中央軸心方向に軸孔２４をそれぞれ貫通して設けてあり、上端に一定間隔毎に直角方向に複数の凹溝部２５を形成して全体をやや外側へ傾斜させて形成してある。
【００２１】
前記可動連結片２６は、下端を断面円柱状をした連結軸部２７を設け、該連結軸部の中心軸心方向と直角方向に設けた前記連結頭部の凹溝部２５とそれぞれ嵌合する連結受部２７を一定間隔毎に設ける複数の凹部２８を介して複数設けてあり、該連結受部の中心軸心方向に軸孔２９をそれぞれ設けてある。前記連結受部２７と反対側の幅方向には、両側と上部側の三方を切り欠いて開口した連結溝部３０を設け、該連結溝部には、少なくとも１以上の連結孔３１を設けて、固着用のビスを取付けることができるようにしてある。
【００２２】
前記揺動アーム２０の連結受部２３は複数の凹溝部２５によって複数設けてあり、また、可動連結片２６の連結受部２７も複数の凹部２８によって複数も受けてあり、互いの凹溝部２５と連結受部２７及び凹部２８と連結頭部２３とを嵌合させ、互いの軸孔２４、２９を合致させて連結軸３３を挿通して連結受部２３に対して可動連結片２６を前後方向に回動可能に連結してある。
【００２３】
蓋体３５は、図２に示すごとく、前記背環本体１１と同形の外形に形成し、裏面中央の左右対称位置に前記背環本体１１に設けた一対の支持ぶ１５と合致させて軸止部（図示せず）をそれぞれ一体に設けてある。
【００２４】
背負いベルト４０は、図５、６に示すごとく、幅広の肩当部４１と細幅の連結帯部４９とからなり、発泡樹脂材、例えばポリウレタンまたはポリエチレンなどにより形成したベルト芯材４２と、該ベルト芯材の下面に取付けるクッション機能を有する、例えば、スポンジ材で形成したパッド部４３と、該パッド部と前記ベルト芯材４２を覆う柔軟な皮革素材、例えば天然皮革または合成皮革などからなる裏地４４と、厚地の天然皮革または合成皮革などからなる表地４５とにより構成してある。
【００２５】
さらに背負いベルト４０の肩当部４１は、表地４５の全体を緩やかで水平方向に湾曲させて幅広の帯状に形成し、該肩当部の両側縁は該肩当部の上面より高くして断面円柱状に形成したクッション機能を有する張出部４６をそれぞれ両側に設けて一体に縫着して幅広に形成してある。
【００２６】
背環１０に取付ける背負いベルト４０の先端は、幅広の肩当部４１の先端を切断した形状で、連結環５８に挿通して折り返す背環連結部Ｘ（図１１)が不要であるため、背負いベルト４０の長さが短くて済み経済的であると共に、製造工程が簡単で安価である。この背負いベルト４０の揺動アーム２０への取付けは、可動連結片２６の連結溝部３０内に先端を挿入し、はとめやリベットなどの連結具３７で可動連結片２６と背負いベルト４０とを固着して連結する。
【００２７】
以下、本考案の実施形態の作用について説明すると、ランドセル１の背板２の上部中央に取付けた背環１０の揺動アーム２０は、連結基部２１の上端に設けた複数の連結受部２３の凹溝部２５と、可動連結片２６の下端に設けた複数の連結受部２７とを互いに凹凸状に嵌合させた互いに接する連結部分の隙間が少なく髪の毛が絡まる虞が少ない。
【００２８】
また、図７、８に示すごとく、連結受部２３と連結筒部２７とを凹凸状に嵌合させて連結したことにより、可動連結片２６が軸方向にブレルおそれはなく、前後方向にスムーズに回動してランドセルを背負ったときに背負いベルト４０を肩の形状に合わせて湾曲させることができ、また、背中が窮屈にならずに背負うことができる。
【００２９】
さらに、揺動アーム２０を構成する連結基部２１と可動連結片２６とを一体ではなく別体に合成樹脂材により形成したことにより、揺動アーム２０の製造工程が簡単で安価に形成することができ、取付け作業も簡単で作業効率の向上を図ることができる。
【００３０】
この可動連結片２６の連結溝部３０は、両側および上部側の三方を開口して背負ベルト４０の先端幅広の背負部４１をそのまま挿入して連結することができるので、背負いベルト４０の両側に設けたクッション性を有する張出部４６を有した肩当部４１を肩全体に当接させることができる。さらに、背負いベルト４０の先端を連結溝部３０内に差し込んで連結溝部３０の連結孔３１に挿入したリベットなどの連結具３３で確実に連結固定できるので作業効率の向上を図ることができる。
【００３１】
背負ベルト４０の先端を、揺動アームを構成する可動連結片２６に設けた連結溝部３０内に直接連結固定して連結環接続用の折返部を不要にしたことにより、背負ベルトの長さを短くすることができ、大変経済的で取付け作業を簡単にして作業効率の向上を図ることができる。
【００３２】
本考案にかかる背環１０を使用して取付けた背負ベルト４０を使用したランドセル１を背負うと、図８に示すごとく、ランドセル１の背環１０は背中からやや離れ背負ベルト４０の背負部４１がしっかりと肩に添って湾曲することができ、さらにまた、背板の下方は腰部分に位置するため、ランドセル１を肩と腰で安定して支えることができるので長時間背負っても疲れが少なく身体にかかる負担を少なくすることができる。
【図面の簡単な説明】
【００３３】
【図１】本考案に係る背環をランドセルの背板に取付けた使用状態の正面図である。
【図２】背負いベルトを取付けた背環の正面図である。
【図３】蓋板を外した背環の正面図である。
【図４】揺動アームの分解斜視図である。
【図５】背負ベルトの平面図である。
【図６】図５のＡ―Ａ線拡大断面図である。
【図７】ランドセルの背板に取付けた背環の使用状態を示す説明図である。
【図８】ランドセルを背負った状態の説明図である。
【図９】従来の背環の実施例を示す正面図である。
【図１０】背環の他の実施例を示す正面図である。
【図１１】従来の背負ベルトを示す一部省略した平面図である。
【符号の説明】
【００３４】
１    ランドセル
２    背板
６    吊下環
８    ばね
１０  背環
１１  背環本体
２０  揺動アーム
２１  連結基部
２２  孔
２３  連結頭部
２４  軸孔
２５  凹溝部
２６  可動連結片
２７  連結受部
２８  凹部
２９  軸孔
３０  連結溝部
３１  連結孔
３３  連結軸
３５  蓋体
４０  背負いベルト
【図１】
0003148308.tif 000003
【図２】
0003148308.tif 000004
【図３】
0003148308.tif 000005
【図４】
0003148308.tif 000006
【図５】
0003148308.tif 000007
【図６】
0003148308.tif 000008
【図７】
0003148308.tif 000009
【図８】
0003148308.tif 000010
【図９】
0003148308.tif 000011
【図１０】
0003148308.tif 000012
【図１１】
0003148308.tif 000013